(57)【要約】      （修正有）【課題】小型で光の放射強度が高く、高演色性、高効率で、且つ電極の損耗によるバルブ部の黒化が少ない超高圧水銀ランプを提供する。【解決手段】本発明は、放電容器内に水銀を０．２ｍｇ／ｍｍ３以上封入し、入力電力４００Ｗ以下で直流点灯される超高圧水銀ランプにおいて、次の条件を満たすことを特徴とする。（１）外径が太い部分から陰極に対向配置した陽極の最先端までの距離Ｄ（ｍｍ）が、バルブ部のランプ管軸方向の長さＬ（ｍｍ）に対してＤ≧Ｌ／２。（２）側管部内側に位置する陽極の径ｄ（ｍｍ）が、側管部の内径ＩＤ（ｍｍ）に対して０．５ＩＤ≦ｄ≦０．９５ＩＤで、陽極先端部の体積Ｖ（ｍｍ３）が入力電力Ｐ（Ｗ）に対して、Ｖ／Ｐ≧０．１２。（３）ランプ管軸方向に直交するバルブ最大内径Ａ（ｍｍ）、Ｌ≦２．５×Ａ、該バルブ部の内表面面積Ｓ（ｍｍ２）と管壁負荷Ｐ／Ｓ（Ｗ／ｍｍ２）がＰ／Ｓ≧１．２。【選択図】  図１
2007207741.tif 000002
【特許請求の範囲】
【請求項１】
光透過性材料から成る略楕円球状のバルブ部と該バルブ部に連接する側管部とから成る放電容器内に陽極と陰極とが対向配置され、該放電容器内には水銀を０．２ｍｇ／ｍｍ３以上封入し、入力電力４００Ｗ以下で直流点灯される超高圧水銀ランプにおいて、
前記側管部内でガラスに覆われた前記陽極の後端部に比べて外径が太く成っている部分から前記陰極に対向配置した該陽極の最先端までの距離で表される前記陽極の先端部の長さＤ（ｍｍ）が、該バルブ部のランプ管軸方向の長さＬ（ｍｍ）に対してＤ≧Ｌ／２であって、
前記側管部と該側管部の内側に位置する陽極との間に隙間が設けられており、且つ該側管部の内側に位置する該陽極の径ｄ（ｍｍ）が、該側管部の内径ＩＤ（ｍｍ）に対して０．５ＩＤ≦ｄ≦０．９５ＩＤの範囲の太さを有しており、該陽極の先端部の体積Ｖ（ｍｍ３）が入力電力Ｐ（Ｗ）に対して、Ｖ／Ｐ≧０．１２であって、
ランプ管軸方向に直交する方向の該バルブの最大内径をＡ（ｍｍ）とした場合に、Ｌ≦２．５×Ａであることと、π×Ｌ×Ａで表される該バルブ部の内表面面積Ｓ（ｍｍ２）と入力電力Ｐとの比で表される管壁負荷Ｐ／Ｓ（Ｗ／ｍｍ２）がＰ／Ｓ≧１．２であることの両方を満たす
ことを特徴とする超高圧水銀ランプ。
【発明の詳細な説明】
【技術分野】
【０００１】
本発明は、超高圧水銀ランプに関し、更に詳しくは液晶プロジェクターなどの投射型投影装置用光源として用いられる超高圧水銀ランプに関する。
【背景技術】
【０００２】
液晶プロジェクターなどに使用される光源は放射される光を反射鏡によって一方向に投射し、レンズなどの光学系を通してスクリーンに照射している。該光源は理想的には点光源であることが望ましい。しかし、実際には光源であるランプの電極間によって決まるある一定の大きさがある。この光源の大きさを近似的に点光源とみなすと、該ランプのバルブ部は肉厚が均一な球状体であり、該バルブ内で放電により形成されるアークの中心をバルブ部の中心に配置したランプが理想的であると考えられる。
【０００３】
しかし、例えば直流駆動の超高圧水銀ランプの場合では、該ランプのバルブ部内に配置された陽極と陰極のサイズは大きく異なっている。これは直流駆動される場合、各々の電極で発生する熱量が大きく異なるためであり、該熱量を考慮して該陰極より該陽極の方が大きく設計されている。また、該電極を放電容器の内部に配置するためには、前記した理想的なランプの場合とは異なり例えば特開平１１−１１１２２６にあるように該バルブ部を略楕円状にする等により対応していた。
【０００４】
図９に該バルブ部を略楕円状にした従来の超高圧水銀ランプを示す。石英ガラス等の透光性材料からなるバルブ部５１に連接する側管部５２からなる放電容器５０の内部に対向配置された陽極５３と陰極５４とが有る。該陽極５３、該陰極５４は各々Ｍｏ等からなる金属箔５５に溶接され該金属箔５５の他端には外部リード５６が溶接されている。該放電容器５０の内部の形状も前記したように略楕円状になっており、該陽極５３と該陰極５４とが該放電容器５０の内部におさめられている。
また、該放電容器５０の内部には希ガスと共に水銀が０．１５ｍｇ／ｍｍ３程度封入されている。更に、対向配置された陽極５３と陰極５４との間で発生するアークの中心が該バルブ部５１の最大径部である該バルブ部中心と一致するように配置し、電極間距離としては例えば１．５ｍｍとしていた。
【０００５】
該ランプへの市場からの要求としては更なる高輝度化が求められており、該ランプの電極間距離を短くすることにより単位電極間距離当たりの入力を大きくして高輝度化する、或いは該放電容器内に封入される水銀量を更に高くすることによってアークを縮径させて高輝度化するといった改善がされていた。
【０００６】
ところが、該放電容器内に封入させる水銀の量を更に多くした場合、例えば０．１７ｍｇ／ｍｍ３程度封入すると、該放電空間内の陰極側根元近傍に水銀の未蒸発が発生した。そこで、該バルブ部の中心である該バルブ部の最大径部よりもアーク中心位置を陰極側に偏らせることによって未蒸発水銀の発生を抑制することも行なわれていた。これは、熱源であるアークを該陰極根元近傍に近づけることにより該未蒸発水銀を加熱し蒸発させるものである。
【０００７】
ところで、市場から求められる放射強度としては更に明るく高い演色性のランプが求められている。また、ランプ自身の更なる小型化の要求もある。
しかし、従来の該ランプに封入される水銀の量を更に増加させて０．２ｍｇ／ｍｍ３以上とすると該放電容器内のアークの位置を陰極側に偏らせても、その他の部分、例えば陽極根元部に未蒸発水銀が発生するといった問題が生じた。更に、この未蒸発水銀が凝集し、該水銀による粒の大きさが一定以上、およそ０．２ｍｍ程度になると、重力により最大内径部に水銀が移動、蒸発し先の陽極根元部に再度水銀が凝縮するといったサイクルが発生しランプ内の対流が変動する結果、アーク不安定になり、ちらつきが生じるといった問題も発生した。
また、該電極間距離を短くすることで高い放射強度を得ようとすれば該電極へ流入する熱量が大きく、特に陽極の損耗が激しくなり該ランプ自身が短寿命になってしまうといった問題があった。一方、該陽極への熱の影響を抑制する為に該陽極自身の体積を大きくすることが考えられるが、該陽極部の径を大きくすればバルブ部の径も大きくなり、該ランプの小型化への要求に答えられないといった問題があった。
【発明の開示】
【発明が解決しようとする課題】
【０００８】
小型で光の放射強度が高く、且つ演色性も高い超高圧水銀ランプを提供することを目的とする。また、封入した水銀量が高くてもバルブ部に未蒸発が発生しない高効率の超高圧水銀ランプであって、且つ電極間を短くして電極負荷が大きくなっても該電極の損耗によるバルブ部の黒化などが少ない超高圧水銀ランプを提供することを目的とする。
【課題を解決するための手段】
【０００９】
本発明の超高圧水銀ランプは、光透過性材料から成る略楕円球状のバルブ部と該バルブ部に連接する側管部とから成る放電容器内に陽極と陰極とが対向配置され、該放電容器内には水銀を０．２ｍｇ／ｍｍ３以上封入し、入力電力４００Ｗ以下で直流点灯される超高圧水銀ランプにおいて、下記の（１）〜（３）の条件を満たすことを特徴とする。
（１）前記側管部内でガラスに覆われた前記陽極の後端部に比べて外径が太く成っている部分から前記陰極に対向配置した該陽極の最先端までの距離で表される前記陽極の先端部の長さＤ（ｍｍ）が、該バルブ部のランプ管軸方向の長さＬ（ｍｍ）に対してＤ≧Ｌ／２である。
（２）前記側管部と該側管部の内側に位置する陽極との間に隙間が設けられており、且つ該側管部の内側に位置する該陽極の径ｄ（ｍｍ）が、該側管部の内径ＩＤ（ｍｍ）に対して０．５ＩＤ≦ｄ≦０．９５ＩＤの範囲の太さを有しており、該陽極の先端部の体積Ｖ（ｍｍ３）が入力電力Ｐ（Ｗ）に対して、Ｖ／Ｐ≧０．１２である。
（３）ランプ管軸方向に直交する方向の該バルブの最大内径をＡ（ｍｍ）とした場合に、Ｌ≦２．５×Ａであることと、π×Ｌ×Ａで表される該バルブ部の内表面面積Ｓ（ｍｍ２）と入力電力Ｐとの比で表される管壁負荷Ｐ／Ｓ（Ｗ／ｍｍ２）がＰ／Ｓ≧１．２であることの両方を満たす。
【００１０】
上記（１）によれば、該陽極が該バルブ部の管軸方向の半分以上あるので該陽極の熱容量が大きくなり該陽極自身が変形したり、該陽極からの電極物質の蒸発量が少なく、該超高圧水銀ランプが短寿命を起こすことがない。更には、水銀を０．２ｍｇ／ｍｍ３以上封入しても該陽極自身が熱源となり陽極側に未蒸発水銀が発生しにくくなるといった利点がある。
【００１１】
上記（２）によれば演色性や放射強度を改善しても該陽極先端部の温度が極度に上昇することがないため該陽極先端が大きく変形したり溶けたりすることがない。更には、該陽極先端部からの該陽極材料の蒸発量が抑制され該ランプの該バルブ部の黒化が抑制され、結果として短寿命を招くことがない。
また、該側管部に位置する陽極の径が側管部の内径の５０％未満では陽極先端部から流入する熱量を充分に伝達出来ない為、陽極先端部の温度を充分に下げることが出来ず、結果として寿命特性を満足させることが出来ない。更に、該陽極径が該側管部の内径の９５％を超えると該陽極をバルブ部内部に配置する場合に該側管部を通じて挿入することが困難となり実用的ではない。
【００１２】
上記（３）によれば、水銀が０．２ｍｇ／ｍｍ３以上封入された超高圧水銀ランプにおいてバルブ部に未蒸発の水銀が発生することがなく良好な光学特性が得られる。
【００１３】
このようにして０．２ｍｇ／ｍｍ３以上の高い密度で水銀を封入した場合において、バルブ部の形状を最適化することで水銀の未蒸発を生じない高輝度光源を提供することが出来る。
また、万が一加工上のばらつきや冷却のばらつきにより未蒸発が発生する場合であっても、発生個所はバルブ部の最大内径部になることが望ましく、該未蒸発水銀の発生部が該最大内径部になれば大きな圧力変動が起こらない。該未蒸発水銀の発生個所を確認する手段としては、強制空冷手段を用いずに水平点灯で定格入力の７０％に絞ることが挙げられる。該手段によって本発明の超高圧水銀ランプの未蒸発水銀発生個所を確認したところ、該未蒸発水銀がほぼバルブ部の最大内径部に確認された。つまり、本発明の超高圧水銀ランプにおいて、未蒸発水銀が発生したとしてもアーク不安定を生じることはない。
【００１４】
前記のように本発明によれば、該陽極部の長さＤを長くすることにより該陽極部の径を必要以上に大きくすることなく、該陽極先端部の磨耗を大幅に抑制することができる。その結果、初期光束量を確保しつつ、磨耗が原因で電極間距離が長くなることによる捕捉立体角内の光束量の低下を抑制できる。更に、陽極先端部から飛散する陽極材料、例えばタングステンの飛散を大幅に減少することによってバルブ部内壁に付着する該タングステンが減少し、該バルブ部の黒化・失透を抑制することができる。また、各入力電力において該バルブ部を必要以上に大きくすることなく良好な寿命特性を得ることができる。
【発明の効果】
【００１５】
本発明の超高圧水銀ランプは、該陽極が該バルブ部の管軸方向の半分以上あるので該陽極の熱容量が大きくすることができ、該陽極自身が変形したり、該陽極からの電極物質の蒸発がなく、該超高圧水銀ランプが短寿命を起こすことがない。
更には、水銀を０．２ｍｇ／ｍｍ３以上封入しても該陽極自身が熱源となり未蒸発水銀が発生しにくくなるといった利点がある。また、本発明の構成によれば封入した水銀量が０．２ｍｇ／ｍｍ３以上と高くてもバルブ部に未蒸発水銀が発生することがなく良好な光学特性が得られる。
また、電極間を短くして電極負荷が大きくなっても該電極の損耗によるバルブ部の黒化などが少なく、且つバルブ部を小型化出来るという効果がある。
【発明を実施するための最良の形態】
【００１６】
以下、本発明の実施の形態について説明する。図１は、本発明における超高圧水銀放電ランプの第１の実施例である。
該超高圧水銀放電ランプ１は、バルブ部２が石英製の略楕円球状体からなり、該バルブ部２の内部にはタングステンからなる陽極３と陰極４が極間距離１．０ｍｍで配置されており、該電極３，４の後端部にはモリブデン等の金属箔５が溶接されて、該金属箔５の他端には外部リード線６が接続されている。
【００１７】
該バルブ部のバルブ最大内径Ａは電極間を結ぶランプ管軸に対して直交する方向の該バルブ部の最大内径を表しており、該バルブ最大内径Ａは４．８ｍｍである。また、該略楕円球状部である該バルブ部２のランプ管軸方向のバルブ長さＬは１０．２ｍｍである。該バルブ部２の両端には該ランプ管軸上に突出した側管部７があり、該側管部７の内側で該バルブ内部空間８と連接した側管内空間部９が設けられている。該側管内空間部９の内径である側管内径ＩＤは２ｍｍ、陽極３の先端部である陽極先端部１０の長さＤは１０ｍｍであり、側管部７に位置する陽極先端部１０の径ｄ及び最大陽極部径ｄｍａｘはともに１．８ｍｍとなっている。また、バルブ内部空間８と側管内空間部９とを合わせた空間である放電空間部１１には始動用の希ガスとしてＡｒが１３３×１０２Ｐａ封入されている。更に、該放電空間部１１の電極部を含めた内容積は９８ｍｍ３であって、水銀が０．２５ｍｇ／ｍｍ３、ハロゲンとして臭素が２．５×１０−４μｍｏｌ／ｍｍ３封入されている。
【００１８】
ここで、図２にバルブ部２のランプ管軸方向の長さであるバルブ長さＬについて示す。該バルブ長さＬは前記した略楕円球状の該バルブ部と該バルブ部から突出する側管部との境で規定された長さである。図２−１には該側管部と該バルブ部の境ははっきり区別できる場合を示す。図中の点ａ、ａ'で挟まれた距離を該バルブ長さＬとする。しかし、該バルブ部と該側管部との連結部が不明瞭な場合もある。この場合、図２−２に示すように該側管部の任意の２点を結ぶ直線と該バルブ部のバルブ最大内径を通り該バルブ部の曲面に近似される円との交点で規定される点ｂ、ｂ'で挟まれた距離を該バルブ長さＬとする。
【００１９】
次に図３には該陽極３の先端部にあたる陽極先端部の長さＤの規定と該陽極の形状についてのバリエーションを示す。陽極先端部の長さＤは前記側管部内でガラスに覆われた該陽極３の後端部に比べて外径が太く成っている部分から該陰極４に対向配置した該陽極３の最先端までの距離のことを言うこととする。図３の１）から４）までは該陽極の形状についてのバリエーションであり、各々の陽極先端部Ｄに当る部分を図中の矢印で示した。
【００２０】
本発明の超高圧水銀ランプ１の第１の実施例によれば、陽極先端部の長さＤが１０ｍｍでバルブ長さＬが１０．２ｍｍであってＤがＬ／２より長くなっている。これにより、放電空間部１１に封入した水銀量を０．２ｍｇ／ｍｍ３以上としても水銀の未蒸発がなく、また該陽極からの電極材料の蒸発が低減される。
【００２１】
図４に該陽極先端部の長さＤと該超高圧水銀ランプの照度維持率との関係を示す。図４の縦軸は該超高圧水銀ランプの初期照度を１００％とした場合の照度維持率（％）を示しており、横軸は該超高圧水銀ランプの点灯時間（時間：Ｈ）を示している。本発明の第１の実施例に示した該超高圧水銀ランプにおいて、陽極先端部Ｄの長さを変え２００Ｗの入力電力で点灯し、照度維持率を比較した。該陽極先端部Ｄの長さとしては５ｍｍ、８ｍｍ、１０ｍｍ、１２ｍｍの各長さで比較した。
その結果、該陽極先端部の長さＤが１０ｍｍ以上であれば点灯時間２５００時間で初期照度の５０％以上の放射照度を維持することが出来た。
【００２２】
図５には、前記した陽極先端部の長さＤ（ｍｍ）に相当する部分の陽極先端部体積Ｖ（ｍｍ３）と該超高圧水銀ランプ１の入力電力との関係から該陽極先端部の損耗を抑制する条件を示す。一般的に陽極先端部の磨耗は該陽極先端部の温度が高いほど大きく、該陽極先端部の温度は該陽極に入力される電流値が大きいほど高くなる。また、該電流値は電極間距離が短い程高くなる傾向にある。
一方、本発明の超高圧水銀ランプによれば該電極間距離が０．６ｍｍより短い場合、発光長が短いことによる発光効率の低下が起こり充分な光束量を取り出すことができない。そこで、該電極間距離を０．６ｍｍで陽極先端部の磨耗を抑える条件を検討した。試料としては封入水銀量を０．３ｍｇ／ｍｍ３とし、陽極先端部体積Ｖを振ったランプを製作し、入力電力を１００Ｗから４００Ｗまで変化させて寿命試験を行った。
【００２３】
図中の○印は陽極先端部の磨耗を抑制できた結果、要求される寿命特性を満足できたことを示している。また、×印は陽極先端部が磨耗し、結果として寿命特性を満足できなかったことを示している。陽極先端部の磨耗はＸ線撮影装置等による形状の確認と、点灯時の電圧上昇値から確認した。結果として、４００Ｗ以下の入力電力に対して、該陽極先端部の体積Ｖと該入力電力Ｗとの関係Ｖ／Ｐが０．１２以上であれば陽極先端部の磨耗が抑制できる。これにより、電極材料の蒸発によるランプ短寿命が起こることがない。また、点灯中の電極損耗による電圧上昇を極めて小さくすることができるといった利点がある。
【００２４】
図６には、前記図５に示した陽極が損耗しない条件において、該放電空間部内に封入された水銀が点灯時に未蒸発を起こさない条件を求めたものである。本発明の超高圧水銀ランプにおいては、放射光の強度を高くするために該放電空間内に封入されている水銀量を０．２ｍｇ／ｍｍ３以上としている。
しかしながら、水銀量を多くすると封入された水銀の未蒸発が発生する。水銀の未蒸発は、バルブ内表面温度に依存し、バルブ内表面温度はバルブ内表面面積に依存する。そこで放電空間部全体の内、バルブ内部空間の大きさを該バルブ部の内部表面積を近似的にπ×Ｌ×Ａから求めた内部表面積Ｓ（ｍｍ２）で表し、該内表面積Ｓと入力電力Ｐとの関係から未蒸発水銀が発生しない条件を求めた。該内表面積Ｓは略楕円球状体としてバルブ長さＬとバルブ最大内径Ａと円周率πとの積により規定した。
図６には水銀量を０．３ｍｇ／ｍｍ３とした場合の該超高圧水銀ランプについてＬ≦２．５×Ａの範囲で該内表面積Ｓを変えたランプを製作し、入力電力４００Ｗ以下の未蒸発水銀の発生有無を記載した。図中の○印はバルブ部内に未蒸発水銀がないことを表し、×印はバルブ部に未蒸発水銀が発生したことを表している。
この図から未蒸発水銀を発生させないためには該内表面面積Ｓと入力電力Ｗとの関係が、Ｐ／Ｓ≧１.２であれば良いことが判った。また、Ｌ＞２．５×Ａの場合について試験を行った結果、Ｐ／Ｓ≧１．２であっても未蒸発水銀を生じるランプが発生した。これはバルブ長さＬが必要以上に大きくなると熱源であるアークから離れる為に電極根元付近に低温部が形成され、該低温部に未蒸発水銀が発生したと考えられる。
【００２５】
図７は本発明に係る超高圧水銀ランプ１の第２の実施例を示す断面図である。該超高圧水銀ランプ１の陽極３側の側管部７に保温手段として金属製ワイヤー７１を巻きつけたものである。この場合、金属製ワイヤー７１がバルブ部２から放射される熱を吸収し、該金属製ワイヤー７１自身の放射熱により側管部７が保温される。
【００２６】
その他の保温手段としては、前記の金属製ワイヤー７１を巻きつけた部分にアルミナ等の無機系材料からなる保温膜を形成したり、該側管部７に擦りガラス状部分を形成しても良い。該保温膜を施せば該保温膜が放射される光を拡散反射させることにより該側管部７を保温できる。また、該側管部７を擦りガラス状にすれば該側管部７の外表面で光が拡散反射されるので該側管部７が保温される。
【００２７】
このような保温手段によって陽極３側の側管部７を保温することにより、バルブ部２に比較して低温になる該側管部７に未蒸発水銀が発生しなくなる。また、ばらつきにより万が一未蒸発水銀が発生した場合でも、該未蒸発水銀の発生個所は該バルブ部の最大内径部に発生する為、水銀の凝縮・蒸発に伴う対流の変化が引き起こすアーク不安定を生じることなく、安定した高い放射強度を得ることが出来る。
【００２８】
次に、図８に該陽極保持手段について示す。該陽極はシール部側のガラスとの境界部近傍で折れることが多い。これは、該陽極の先端部重量が重く該シール部近傍に働くモーメントが大きくなるためと考えられる。そこで、保持部材は折れの発生率が高い該陽極根元付近やモーメント発生原因となる該陽極先端部に設けることが有益である。図８は該陽極保持部材を該陽極先端部、又は該陽極根元部に設けた１実施例であり、側管内空間部９の縦断面図と横断面図とを表したものである。
図８−１には該陽極３の陽極先端部であって該側管部に位置する部分（Ａ−Ａ'断面）に保持部材８１を配置している。該保持部材８１は大小からなる二つの輪と該輪部分をつなぐ線状部からなり、例えばタングステン線からできている。小さな輪の内側に該陽極３を嵌め込み、大きな輪の外側が該側管部の内側と接することにより該陽極３が固定されるといったものである。
図８−２に示したのは、陽極根元付近（Ｂ−Ｂ'断面）に保持部材を配置した場合で例えばタングステン線からなるコイル状部材をゼンマイバネのように該陽極の外径から該側管部の内面に向けて配置することにより該陽極部を固定するものである。該保持部材の取り付け位置は該陽極の先端部や該陽極のシール部側根元付近、またその双方に設けることができる。
【００２９】
図８のような保持部材を具備することにより、該超高圧水銀ランプの内部に配置した該陽極が大きなものになっても振動等の外力によって該陽極が折れる等の不具合が起こることがない。
【００３０】
以上のような本発明の超高圧水銀ランプは、該陽極が該バルブ部の管軸方向の半分以上あるので該陽極の熱容量が大きくすることができ、該陽極自身が変形したり、該陽極からの電極物質の蒸発がなく、該超高圧水銀ランプが短寿命を起こすことがない。更には、水銀を０．２ｍｇ／ｍｍ３以上封入しても該陽極自身が熱源となり未蒸発水銀が発生しにくくなるといった利点がある。また、本発明の構成によれば封入した水銀量が０．２ｍｇ／ｍｍ３以上と高くてもバルブ部に未蒸発水銀が発生することがなく良好な光学特性が得られる。また、電極間を短くして電極負荷が大きくなっても該電極の損耗によるバルブ部の黒化などが少なく、且つバルブ部を小型化出来るという効果がある。
【図面の簡単な説明】
【００３１】
【図１】本発明における超高圧水銀ランプの第１の実施例。
【図２】本発明におけるバルブ長Ｌを示す説明図。
【図３】本発明における陽極の形状と該陽極の陽極先端部の長さＤを示す説明図。
【図４】本発明の超高圧水銀ランプにおける陽極先端部の長さＤと該超高圧水銀ランプの照度維持率との関係を示す図。
【図５】陽極先端部の磨耗を抑えるために必要な陽極部寸法と入力電力との関係を示す図。
【図６】未蒸発水銀を抑えるために必要なバルブ部内表面面積と入力電力との関係を示す図。
【図７】本発明における保温手段を具備した実施例を示す断面図。
【図８−１】本発明における保持部材を具備した実施例を示す断面図。
【図８−２】本発明における保持部材を具備した実施例を示す断面図。
【図９】従来の超高圧水銀ランプを示す断面図。
【符号の説明】
【００３２】
１      超高圧水銀放電ランプ
２      バルブ部
３      陽極
４      陰極
５      金属箔
６      外部リード線
７      側管部
８      バルブ内部空間
９      側管内空間部
１０    陽極先端部
１１    放電空間部
７１    金属製ワイヤー
８１    保持部材
Ａ      バルブ最大内径
Ｌ      バルブ長さ
ＩＤ    側管内径
Ｄ      陽極先端部の長さ
ｄ      陽極先端部の径
ｄｍａｘ  陽極先端部の最大径部
Ｖ      陽極先端部の体積
【図１】
2007207741.tif 000003
【図２】
2007207741.tif 000004
【図３】
2007207741.tif 000005
【図４】
2007207741.tif 000006
【図５】
2007207741.tif 000007
【図６】
2007207741.tif 000008
【図７】
2007207741.tif 000009
【図８−１】
2007207741.tif 000010
【図８−２】
2007207741.tif 000011
【図９】
2007207741.tif 000012